(57)【要約】【課題】プロセス群で作成されるファイルの作成状況を出力可能にすること。【解決手段】表示システム１は、プロジェクトでのファイルの作成状況を表示する。プロジェクトは、成果物としてファイルがそれぞれ作成される複数のプロセスを含み、複数のプロセスの各々が複数のプロセス群のうち一のプロセス群に対応する。表示システム１は検索処理部１０１と表示処理部１０２とを含む。検索処理部１０１は、複数のプロセスの各々で作成されるファイルを管理するファイル管理システム２で、対象ファイルを検索する。対象ファイルは、複数のプロセス群のうち指定されたプロセス群を少なくとも含む対象プロセス群において作成予定の１以上のファイルである。表示処理部１０２は、検索処理部１０１の検索結果に基づいて対象ファイルが作成されているか否かを表示部３３に表示させる。【選択図】図２
2020004128.tif 000002
【特許請求の範囲】
【請求項１】
成果物としてファイルがそれぞれ作成される複数のプロセスを含み、前記複数のプロセスの各々が複数のプロセス群のうち一のプロセス群に対応するようなプロジェクトでの前記ファイルの作成状況を表示する表示方法であって、
前記複数のプロセスの各々で作成される前記ファイルを管理するファイル管理システムで、前記複数のプロセス群のうち指定されたプロセス群を少なくとも含む対象プロセス群において作成予定の１以上の前記ファイルである対象ファイルを検索する検索処理と、
前記検索処理の検索結果に基づいて前記対象ファイルが作成されているか否かを表示部に表示させる表示処理と、を含む、
表示方法。
【請求項２】
前記対象プロセス群は、前記複数のプロセス群のうち、前記プロジェクトの最初のプロセス群から前記指定されたプロセス群までの１以上のプロセス群を含む、
請求項１に記載の表示方法。
【請求項３】
前記表示処理において、前記対象ファイルが作成されている場合と前記対象ファイルが作成されていない場合との少なくとも一方について、前記対象ファイルの名称を特定可能な態様で前記表示部に表示させる、
請求項１又は２に記載の表示方法。
【請求項４】
前記対象ファイルが複数の前記ファイルを含む場合、前記検索処理において、前記ファイル管理システムで前記対象ファイルに含まれる複数の前記ファイルを１つずつ順番に検索する、
請求項１〜３のいずれか１項に記載の表示方法。
【請求項５】
前記対象ファイルが複数の前記ファイルを含む場合、前記検索処理において、前記ファイル管理システムで前記対象ファイルに含まれる複数の前記ファイルを一括して検索する、
請求項１〜３のいずれか１項に記載の表示方法。
【請求項６】
前記対象プロセス群の複数の選択肢を前記表示部に一覧表示する一覧表示処理と、
前記複数の選択肢のいずれかを選択する選択情報を受け付ける受付処理と、
前記複数のプロセス群から前記選択情報に基づいて前記対象プロセス群を選択する選択処理と、を更に含む、
請求項１〜５のいずれか１項に記載の表示方法。
【請求項７】
前記ファイル管理システムは、前記複数のプロセスの各々で作成される前記ファイルのバージョン情報を管理しており、
前記表示処理において、前記対象ファイルの前記バージョン情報を識別可能な態様で前記表示部に表示させる、
請求項１〜６のいずれか１項に記載の表示方法。
【請求項８】
前記指定されたプロセス群の１つ前の段階のプロセス群である前段プロセス群が存在する場合に、
前記プロジェクトの最初のプロセス群から前記指定されたプロセス群までのプロセス群を前記対象プロセス群とする場合の前記表示処理で表示される前記対象ファイルの前記バージョン情報と、前記プロジェクトの最初のプロセス群から前記前段プロセス群までのプロセス群を前記対象プロセス群とする場合の前記表示処理で表示される前記対象ファイルの前記バージョン情報とを比較する比較処理を、更に含み、
前記比較処理の結果、前記対象ファイルの前記バージョン情報が変化していた場合、前記表示処理において、前記バージョン情報が変化した前記対象ファイルの表示態様を変化させる、
請求項７に記載の表示方法。
【請求項９】
成果物としてファイルがそれぞれ作成される複数のプロセスを含み、前記複数のプロセスの各々が複数のプロセス群のうち一のプロセス群に対応するようなプロジェクトでの、前記ファイルの作成状況を表示する表示方法であって、
前記複数のプロセス群のうち前記プロジェクトの最初のプロセス群から指定されたプロセス群までの１以上のプロセス群を含む対象プロセス群において作成予定の１以上の前記ファイルが作成されているか否かを表示部に一覧表示させる表示処理を含む、
表示方法。
【請求項１０】
成果物としてファイルがそれぞれ作成される複数のプロセスを含み、前記複数のプロセスの各々が複数のプロセス群のうち一のプロセス群に対応するようなプロジェクトでの、前記ファイルの作成状況を表示する表示システムであって、
前記複数のプロセスの各々で作成される前記ファイルを管理するファイル管理システムで、前記複数のプロセス群のうち指定されたプロセス群を少なくとも含む対象プロセス群において作成予定の１以上の前記ファイルである対象ファイルを検索する検索処理部と、
前記検索処理部の検索結果に基づいて前記対象ファイルが作成されているか否かを表示部に表示させる表示処理部と、を含む、
表示システム。
【請求項１１】
成果物としてファイルがそれぞれ作成される複数のプロセスを含み、前記複数のプロセスの各々が複数のプロセス群のうち一のプロセス群に対応するようなプロジェクトでの、前記ファイルの作成状況を表示する表示システムであって、
前記複数のプロセス群のうち前記プロジェクトの最初のプロセス群から指定されたプロセス群までの１以上のプロセス群を含む対象プロセス群において作成予定の１以上の前記ファイルが作成されているか否かを表示部に一覧表示させる表示処理部を含む、
表示システム。
【請求項１２】
請求項１〜９のいずれか１項に記載の表示方法をコンピュータシステムに実行させるためのプログラム。
【発明の詳細な説明】
【技術分野】
【０００１】
本開示は、表示方法、表示システム、及びプログラムに関する。より詳細には、本開示は、複数のプロセスを含むプロジェクトの状況を表示する表示方法、表示システム、及びプログラムに関する。
【背景技術】
【０００２】
特許文献１は、プログラムファイルの関連性とバージョンの管理を支援するファイル構成管理支援システムを開示する。このファイル構成管理支援システムは、ソフトウェア開発において、ソフトウェア開発の各フェーズ（プロセス群）において各プログラム（成果物であるファイル）が要求される品質を満たしているか否かを判断し、判断結果を表示している。
【先行技術文献】
【特許文献】
【０００３】
【特許文献１】特開２００８−２６９５２７号公報
【発明の概要】
【発明が解決しようとする課題】
【０００４】
複数のプロセス群を含むプロジェクトを実行する場合に、プロセス群毎に作成されるファイルの作成状況を把握したいという要望があった。
【０００５】
本開示の目的は、プロセス群で作成されるファイルの作成状況を出力可能な表示方法、表示システム、及びプログラムを提供することにある。
【課題を解決するための手段】
【０００６】
本開示の一態様の表示方法は、成果物としてファイルがそれぞれ作成される複数のプロセスを含み、前記複数のプロセスの各々が複数のプロセス群のうち一のプロセス群に対応するようなプロジェクトでの、前記ファイルの作成状況を表示する表示方法である。前記表示方法は検索処理と表示処理とを含む。前記検索処理では、前記複数のプロセスの各々で作成される前記ファイルを管理するファイル管理システムで、対象ファイルを検索する。前記対象ファイルは、前記複数のプロセス群のうち指定されたプロセス群を少なくとも含む対象プロセス群において作成予定の１以上の前記ファイルである。前記表示処理では、前記検索処理の検索結果に基づいて前記対象ファイルが作成されているか否かを表示部に表示させる。
【０００７】
本開示の一態様の表示方法は、成果物としてファイルがそれぞれ作成される複数のプロセスを含み、前記複数のプロセスの各々が複数のプロセス群のうち一のプロセス群に対応するようなプロジェクトでの、前記ファイルの作成状況を表示する表示方法である。前記表示方法は表示処理を含む。前記表示処理では、対象プロセス群において作成予定の１以上の前記ファイルが作成されているか否かを表示部に一覧表示させる。前記対象プロセス群は、前記複数のプロセス群のうち前記プロジェクトの最初のプロセス群から指定されたプロセス群までの１以上のプロセス群を含む。
【０００８】
本開示の一態様の表示システムは、成果物としてファイルがそれぞれ作成される複数のプロセスを含み、前記複数のプロセスの各々が複数のプロセス群のうち一のプロセス群に対応するようなプロジェクトでの、前記ファイルの作成状況を表示する。前記表示システムは検索処理部と表示処理部とを含む。前記検索処理部は、前記複数のプロセスの各々で作成される前記ファイルを管理するファイル管理システムで、対象ファイルを検索する。前記対象ファイルは、前記複数のプロセス群のうち指定されたプロセス群を少なくとも含む対象プロセス群において作成予定の１以上の前記ファイルである。前記表示処理部は、前記検索処理部の検索結果に基づいて前記対象ファイルが作成されているか否かを表示部に表示させる。
【０００９】
本開示の一態様の表示システムは、成果物としてファイルがそれぞれ作成される複数のプロセスを含み、前記複数のプロセスの各々が複数のプロセス群のうち一のプロセス群に対応するようなプロジェクトでの、前記ファイルの作成状況を表示する。前記表示システムは表示処理部を含む。前記表示処理部は、対象プロセス群において作成予定の１以上の前記ファイルが作成されているか否かを表示部に一覧表示させる。前記対象プロセス群は、前記複数のプロセス群のうち前記プロジェクトの最初のプロセス群から指定されたプロセス群までの１以上のプロセス群を含む。
【００１０】
本開示の一態様のプログラムは、上記の表示方法をコンピュータシステムに実行させるためのプログラムである。
【発明の効果】
【００１１】
本開示によれば、プロセス群で作成されるファイルの作成状況を出力可能な表示方法、表示システム、及びプログラムを提供することができる。
【図面の簡単な説明】
【００１２】
【図１】図１は、本開示の一実施形態に係る表示システムを含む全体システムの概略構成を示す説明図である。
【図２】図２は、同上の表示システムを含む全体システムの概略構成を示すブロック図である。
【図３】図３は、同上の表示システムの動作を示すフローチャートである。
【図４】図４は、同上の表示システムが表示させる全プロセス群の表示画面の説明図である。
【図５】図５は、同上の表示システムにおいてベースラインＢＬ０での表示画面の説明図である。
【図６】図６は、同上の表示システムにおいてベースラインＢＬ１での表示画面の説明図である。
【図７】図７は、同上の表示システムにおいてベースラインＢＬ２での表示画面の説明図である。
【発明を実施するための形態】
【００１３】
（実施形態）
（１）概要
本実施形態の表示システム１（図１及び図２参照）は、成果物としてファイルがそれぞれ作成される複数のプロセスを含み、複数のプロセスの各々が複数のプロセス群のうち一のプロセス群に対応するようなプロジェクトでの、ファイルの作成状況を表示する。
【００１４】
ここにおいて、「プロジェクト」とは、何らかのプロダクト（製品）を創造するために実施される活動（仕事）であり、対象とするプロダクトはソフトウェアでもハードウェアでもよい。また、プロジェクトは、プロダクトを創造するために実施される活動に限定されず、何らかのサービスを創造するために実施される活動（仕事）でもよい。以下の実施形態では、プロジェクトがソフトウェアの開発プロジェクトである場合を例に説明する。このようなプロジェクトでは、プロジェクトの段階（工程）に応じたプロセス群が複数存在する（表１参照）。表１の例では、初期プロセス群と第１〜第４プロセス群の５つのプロセス群（工程）があり、各プロセス群には１以上のプロセスが含まれている。例えば、ソフトウェアの開発プロジェクトにおいては、初期プロセス群は、例えば、プロジェクトの開始前に、企画書などの入力資料を準備する工程である。第１〜第４プロセス群は、例えば、入力資料をもとにシステムを計画する工程、企画書などをもとにシステムの要件を分析する工程、システムを設計し動作を確認する工程、最終的な検査を行う工程などである。
【００１５】
各プロセス群では、各プロセス群に含まれる１以上のプロセスで計画されているファイルが作成されるのであるが、各プロセスで作成されるべきファイルが未作成の状態、又は作成されたがその内容が不十分な状態で次のプロセス群に移行する可能性がある。そこで、あるプロセス群から次のプロセス群に移行する場合に、それまでのプロセス群で作成されるべき成果物が作成されているか、又は作成された成果物の品質が十分であるかを第３者が確認する工程移行監査が実施される場合がある。このような工程移行監査は、監査を受ける前に、プロジェクトの最初のプロセス群から監査段階（つまり、移行前の段階）のプロセス群までに計画されているファイルの現在の作成状況を保存し、その保存結果に基づいて行われる。ここにおいて、プロジェクトの最初のプロセス群から監査段階のプロセス群までに計画されているファイルの作成状況を保存したものをベースラインと呼称する。ベースラインは、あるプロセス群から次のプロセス群に移行するごと保存され、順番に０，１，２，３…と連続した番号が付与される。本実施形態では、初期プロセス群及び第１〜第４プロセス群の各段階で複数のベースラインＢＬ０〜ＢＬ４が設定されている。表１において、○印がついているファイルが、各ベースラインＢＬ０〜ＢＬ４で作成状況を保存する対象のファイルである。例えば、ベースラインＢＬ２は、初期プロセス群から監査段階の第２プロセス群までに計画されているファイルについて、監査のタイミング（つまり、第２プロセス群から第３プロセス群に移行するタイミング）での作成状況を保存したものである。
【００１６】
【表１】
2020004128.tif 000003
【００１７】
本実施形態の表示システム１は、検索処理部１０１と、表示処理部１０２とを含む。検索処理部１０１は、複数のプロセスの各々で作成されるファイルを管理するファイル管理システム２で、対象ファイルを検索する。対象ファイルは、複数のプロセス群のうち指定されたプロセス群を少なくとも含む対象プロセス群において作成予定の１以上のファイルである。表示処理部１０２は、検索処理部１０１の検索結果に基づいて対象ファイルが作成されているか否かを表示部３３に表示させる。
【００１８】
ここにおいて、複数のプロセス群のうちの「指定されたプロセス群」とは、例えば、表示システム１のユーザによって、ファイルの作成状況を検索する対象として指定されたプロセス群のことである。例えば、表示システム１のユーザが初期プロセス群及び第１〜４プロセス群のうち第１プロセス群を指定した場合、表示システム１は、少なくとも第１プロセス群を含む対象プロセス群において作成予定のファイルを検索し、検索結果を表示する。以下の実施形態では、対象プロセス群が、複数のプロセス群のうち、プロジェクトの最初のプロセス群から指定されたプロセス群までの１以上のプロセス群を含むものとする。つまり、第１プロセス群が指定された場合、対象プロセス群は、プロジェクトの最初のプロセス群である初期プロセス群と、第１プロセス群とを含む。尚、対象プロセス群は、複数のプロセス群のうち指定されたプロセス群のみであってもよく、対象プロセス群に含まれるプロセス群の範囲は適宜変更が可能である。
【００１９】
表示システム１では、表示処理部１０２が、検索処理部１０１の検索結果に基づいて対象ファイルが作成されているか否かを表示部３３に表示させるので、プロセス群で作成されるファイルの作成状況を出力可能な表示システム１を提供できる。したがって、表示システム１のユーザは、表示部３３に表示された内容に基づいて、ファイルの作成状況を把握することができる。
【００２０】
また、本実施形態の表示システム１は表示処理部１０２を含む。表示処理部１０２は、対象プロセス群において作成予定の１以上のファイルが作成されているか否かを表示部３３に一覧表示させる。対象プロセス群は、複数のプロセス群のうちプロジェクトの最初のプロセス群から指定されたプロセス群までの１以上のプロセス群を含む。
【００２１】
ここで、「一覧表示」とは、例えば図４に示すように、表示部３３の一つの画面Ｇ１に表示内容の全体が表示される表示態様であるが、表示内容の全体が表示部３３の一つの画面に入らない場合に画面の表示範囲をスクロールすることで表示内容の全体を表示可能な表示態様でもよい。また、「一覧表示」とは、例えば、表示部３３が複数の画面を有する場合に、表示内容の全体を複数の画面に分けて表示するような表示態様でもよい。
【００２２】
表示システム１は、対象プロセス群において作成予定の１以上のファイルが作成されているか否かを表示部３３に一覧表示させるので、プロセス群で作成されるファイルの作成状況を出力可能な表示システム１を実現できる。したがって、表示システム１のユーザは、表示部３３に表示された内容に基づいて、ファイルの作成状況を把握することができる。
【００２３】
（２）詳細
以下、本実施形態に係る表示システム１について図１〜図７を参照して詳しく説明する。
【００２４】
本実施形態の表示システム１は、図１及び図２に示すように、イントラネットのようなネットワークＮＴ１を介して、ファイル管理システム２、及びクライアント端末３に接続されている。図１及び図２では、ネットワークＮＴ１に２台のクライアント端末３が接続されているが、クライアント端末３の台数は２台に限定されず、クライアント端末３の台数は適宜変更可能である。
【００２５】
本実施形態では、表示システム１、ファイル管理システム２、及びクライアント端末３の各々は、メモリ及びプロセッサを含むコンピュータシステムを主構成とする。すなわち、コンピュータシステムのメモリに記録されたプログラムを、プロセッサが実行することにより、表示システム１、ファイル管理システム２、及びクライアント端末３の各々の機能が実現される。プログラムはメモリに予め記録されていてもよいし、インターネット等の電気通信回線を通して提供されてもよく、メモリカード等の非一時的記録媒体に記録されて提供されてもよい。
【００２６】
（２．１）表示システム
次に、表示システム１の構成について、図２を参照してより詳細に説明する。
【００２７】
表示システム１は、例えばプロジェクトの進行を管理するソフトウェアがインストールされたサーバ装置で実現される。
【００２８】
表示システム１は、図２に示すように、第１制御部１０と、第１通信部１１と、第１記憶部１２と、を有している。
【００２９】
第１制御部１０は、プロジェクトの進行を管理するための処理を行う。本実施形態では、第１制御部１０は、検索処理部１０１と表示処理部１０２との機能を有する。
【００３０】
検索処理部１０１は、ファイル管理システム２で対象ファイルを検索する。対象ファイルは、複数のプロセス群のうち指定されたプロセス群を少なくとも含む対象プロセス群において作成予定の１以上のファイルである。ここで、対象プロセス群は、後述する選択処理部１０５によって選択される。
【００３１】
表示処理部１０２は、検索処理部１０１の検索結果に基づいて対象ファイルが作成されているか否かをクライアント端末３の表示部３３に表示させる。本実施形態では、表示処理部１０２は、対象プロセス群において作成予定の１以上のファイルが作成されているか否かを表示部３３に一覧表示させる（例えば図４の画面Ｇ１中の表示欄Ａ２参照）。ここで、対象プロセス群は、複数のプロセス群のうちプロジェクトの最初のプロセス群から指定されたプロセス群までの１以上のプロセス群を含む。
【００３２】
また、第１制御部１０は、一覧表示処理部１０３、受付処理部１０４、選択処理部１０５、及び比較処理部１０６の機能を更に有している。尚、表示システム１が、一覧表示処理部１０３、受付処理部１０４、選択処理部１０５、及び比較処理部１０６の機能を有することは必須ではなく適宜省略が可能である。
【００３３】
一覧表示処理部１０３は、対象プロセス群の複数の選択肢を表示部３３に一覧表示する（例えば図４の画面Ｇ１中の表示欄Ａ１参照）。本実施形態では複数の選択肢として、上述したベースラインＢ０〜Ｂ４を表示部３３に一覧表示する。
【００３４】
受付処理部１０４は、クライアント端末３から第１通信部１１を介して、複数の選択肢のいずれかを選択する選択情報を受け付ける。
【００３５】
選択処理部１０５は、複数のプロセス群から選択情報に基づいて対象プロセス群を選択する。
【００３６】
比較処理部１０６は、ベースラインＢ０〜Ｂ４のうち、あるベースラインでのファイルのバージョン情報と、１つ前のベースラインでのバージョン情報とを比較する処理を行う。
【００３７】
第１通信部１１は、ネットワークＮＴ１を介して間接的に、ファイル管理システム２及びクライアント端末３と通信する。第１通信部１１とファイル管理システム２又はクライアント端末３との間の通信方式としては、無線通信又は有線通信の適宜の通信方式が採用される。
【００３８】
第１記憶部１２は、例えば、書換可能な不揮発性の半導体メモリ等の非一時的記録媒体にて実現される。第１記憶部１２は、複数のプロジェクト群に含まれる複数のプロセスで作成予定のファイルの作成状況に関する情報などを記憶する。第１記憶部１２は、表示システム１のサーバ装置内に組み込まれる構成に限らず、例えば、表示システム１のサーバ装置がアクセス可能なクラウド（クラウドコンピューティング）等に存在してもよい。
【００３９】
（２．２）ファイル管理システム
次に、ファイル管理システム２の構成について、図２を参照してより詳細に説明する。
【００４０】
ファイル管理システム２は、例えば、複数のプロセス群に含まれる複数のプロセスで計画されているファイル、及び作成されたファイルの更新履歴及びバージョン情報などを管理するソフトウェアがインストールされたサーバ装置で実現される。各プロセスで計画されているファイルは、仕様書、設計書を含むドキュメント、及びソフトウェアのソースコードなどを含む。
【００４１】
ファイル管理システム２は、図２に示すように、第２制御部２０と、第２通信部２１と、第２記憶部２２と、を有している。
【００４２】
第２制御部２０は、例えば、クライアント端末３等で作成されるファイルを第２記憶部２２に記録し、ファイルの作成状況、及び作成されたファイルのバージョン情報を管理する。
【００４３】
第２通信部２１は、ネットワークＮＴ１を介して間接的に、表示システム１及びクライアント端末３と通信する。第２通信部２１と表示システム１及びクライアント端末３との間の通信方式としては、無線通信又は有線通信の適宜の通信方式が採用される。
【００４４】
第２記憶部２２は、例えば、書換可能な不揮発性の半導体メモリ等の非一時的記録媒体にて実現される。第２記憶部２２は、複数のプロセス群に含まれる複数のプロセスのそれぞれで作成されるファイルなどを記憶する。第２記憶部２２は、ファイル管理システム２のサーバ装置内に組み込まれる構成に限らず、例えば、ファイル管理システム２のサーバ装置がアクセス可能なクラウド（クラウドコンピューティング）等に存在してもよい。
【００４５】
（２．３）クライアント端末
クライアント端末３は、ユーザ（例えば表示システム１のユーザ）の操作を受け付ける機能、及びユーザに情報を提示（表示）する機能を有する端末である。クライアント端末３は、複数のプロセス群に含まれる複数のプロセスで計画された複数のファイルを作成するために使用されてもよい。ここで、ネットワークＮＴ１には複数台のクライアント端末３が接続されており、複数台のクライアント端末３で、複数のプロセスにおいて計画されている複数のファイルを分担して作成してもよい。
【００４６】
クライアント端末３は、メモリ及びプロセッサを含むコンピュータシステムを主構成とする。本実施形態では、一例として、クライアント端末３は、パーソナルコンピュータ、タブレット端末、又はスマートフォン等の端末であることとして説明する。クライアント端末３は、専用のアプリケーションソフトをインストールし、このアプリケーションソフトを起動することにより、以下に説明する機能を実現する。
【００４７】
クライアント端末３は、第３制御部３０と、第３通信部３１と、第３記憶部３２と、表示部３３と、操作部３４と、を有している。
【００４８】
第３制御部３０は、クライアント端末３の全体的な制御を行う。
【００４９】
第３通信部３１は、ネットワークＮＴ１を介して間接的に、表示システム１と通信する。第３通信部３１と表示システム１との間の通信方式としては、無線通信又は有線通信の適宜の通信方式が採用される。
【００５０】
第３記憶部３２は、例えば、書換可能な不揮発性の半導体メモリ等の非一時的記録媒体にて実現される。第３記憶部３２は、クライアント端末３において作成されたファイル、及びファイルのバージョン情報などを記憶する。バージョン情報には、ファイルを作成（更新）したユーザが入力する情報（以下、この情報を「バージョン」と言う。）と、ファイルの作成時（更新時）にクライアント端末３が自動的に付与する情報（以下、この情報を「リビジョン」と言う。）とがある。尚、バージョン情報は、バージョンとリビジョンとの少なくとも一方を含んでいればよいが、ユーザによって入力されるバージョンは入力ミスや入力忘れが発生する可能性もあるため、バージョン情報はリビジョンを少なくも含むことが好ましい。第３記憶部３２は、クライアント端末３内に組み込まれる構成に限らず、例えば、クライアント端末３がアクセス可能なクラウド（クラウドコンピューティング）等に存在してもよい。
【００５１】
表示部３３は、本実施形態では一例として、表示システム１によって作成された表示画面等の、ユーザに情報を提示するための画面を表示する。本開示でいう「画面」は、表示部３３に映し出される像（画像等）である。表示部３３は、例えば、液晶ディスプレイ、有機ＥＬ（Electro Luminescence）ディスプレイ等の画像表示装置により実現される。本実施形態では、第３制御部３０が、表示システム１から第３通信部３１を介して受信したＷｅｂ画面データに基づいて、表示部３３に画面（Ｗｅｂ画面）を表示する。
【００５２】
操作部３４は、人（ユーザ）の操作を受け付ける機能を有している。本実施形態では、操作部３４は、例えば、マウス等のポインティングデバイス、キーボード、若しくはメカニカルなスイッチ、又はこれらの組み合わせにて実現される。また、クライアント端末３がタッチパネルディスプレイを搭載している場合には、タッチパネルディスプレイが表示部３３及び操作部３４として機能してもよい。この場合、クライアント端末３は、表示部３３に表示される各画面上でのボタン等のオブジェクトの操作（タップ、スワイプ、ドラッグ等）が操作部３４で検出されることをもって、ボタン等のオブジェクトが操作されたことと判断する。
【００５３】
（３）動作
以下、本実施形態の表示システム１の動作について図３〜図７を参照して説明する。
【００５４】
プロジェクトが開始されると、ユーザは、例えばクライアント端末３を用いてプロジェクトの各プロセスで計画されているファイルを作成する。各プロセスで作成されたファイルは、クライアント端末３等からネットワークＮＴ１を介してファイル管理システム２に送信され、ファイル管理システム２の第２記憶部２２に記憶される。このとき、ファイル管理システム２の第２記憶部２２は、ファイルと、当該ファイルのバージョン情報（バージョン及びリビジョン）と、当該ファイルの作成状況に関する情報とを対応付けて記憶する。ここで、ファイルの作成状況に関する情報とは、例えばファイルを最終更新した最終更新者と更新日（コミット日）に関する情報と含む。
【００５５】
プロジェクトの開始後の任意のタイミングで、表示システム１のユーザが、各プロセスでのファイルの作成状況を確認する場合、クライアント端末３の操作部３４を用いて、作成状況の表示画面を表示させる操作を行う。
【００５６】
第３制御部３０は、操作部３４を介して作成状況の表示画面を表示させる表示要求信号が入力されると、作成状況の表示画面を要求する要求信号を第３通信部３１からネットワークＮＴ１を介して表示システム１に送信する。
【００５７】
表示システム１の第１制御部１０が、クライアント端末３から第１通信部１１を介して要求信号を受信すると、作成状況の表示画面を作成し、表示部３３に表示させる処理を行う。表示システム１による表示処理について図３を参照して説明する。
【００５８】
まず、表示システム１の検索処理部１０１は、プロジェクトの全てのプロセスで計画されている成果物のファイルのリスト（以下、成果物リストと言う）を第１記憶部１２から取得する（Ｓ１）。この場合、対象プロセス群は全てのプロセス群となり、対象ファイルは全てのプロセスで作成予定のファイルとなる。尚、表示システム１が、ベースラインＢＬ０〜ＢＬ４のいずれかでファイルの作成状況を表示する場合、ベースラインに含まれるプロセス群、つまり最初のプロセス群から指定されたプロセス群までのプロセス群が対象プロセス群となる。そして、対象プロセス群で作成予定のファイルが対象ファイルとなる。
【００５９】
次に、検索処理部１０１は、ファイル管理システム２から現時点で保管されているファイルのリスト（以下、ファイルリストと言う）を取得する（Ｓ２）。
【００６０】
検索処理部１０１は、成果物リストに含まれているファイルを１つ選択し（Ｓ３）、選択したファイルについてファイルリストを検索する（Ｓ４）。
【００６１】
ここで、選択したファイルがファイルリストに存在すれば（Ｓ５：Ｙｅｓ）、検索処理部１０１は、作成済みフラグＦＧ１の値を「１」にセットして、第１記憶部１２に記憶する（Ｓ６）。作成済みフラグＦＧ１は、当該ファイルが作成されているか否かを、その値に応じて示すフラグである。
【００６２】
一方、選択したファイルがファイルリストに存在しなければ（Ｓ５：Ｎｏ）、検索処理部１０１は、当該ファイルの名称（ファイル名）の表示態様を変更する（Ｓ７）。例えば、検索処理部１０１は、ファイル名の先頭に、作成されていないことを示す文言（例えば、「（未登録！）」などの文言）を追加して第１記憶部１２に記憶する。また、検索処理部１０１は、当該ファイルの作成済みフラグＦＧ１の値を「０」にセットして、第１記憶部１２に記憶する（Ｓ８）。
【００６３】
その後、検索処理部１０１は、成果物リストに含まれるファイルを全て検索したか否かを判断する（Ｓ９）。成果物リストに含まれるファイルを全て検索していない場合（Ｓ９：Ｎｏ）、検索処理部１０１は、ステップＳ３に戻って検索処理を継続する。成果物リストに含まれるファイルを全て検索した場合（Ｓ９：Ｙｅｓ）、表示処理部１０２が、検索処理部１０１の検索結果に基づいてクライアント端末３の表示部３３にファイルの作成状況を示す画面Ｇ１（図４参照）を表示させる（Ｓ１０）。
【００６４】
ここで、ファイル管理システム２で対象ファイルに含まれる複数のファイルを１つずつ順番に検索している。尚、対象ファイルが複数のファイルを含む場合、検索処理において、ファイル管理システム２で対象ファイルに含まれる複数のファイルを一括して検索してもよく、検索処理の負荷を削減できる。
【００６５】
また、本実施形態の表示システム１では、一覧表示処理部１０３が、画面Ｇ１の一部に、対象プロセス群の複数の選択肢としてベースラインＢＬ０〜ＢＬ４を選択するための表示欄Ａ１を表示させている。すなわち、本実施形態では、表示処理部１０２及び一覧表示処理部１０３によって画面Ｇ１の画面データが作成される。そして、第１制御部１０は、表示処理部１０２及び一覧表示処理部１０３によって作成された画面Ｇ１の画面データを第１通信部１１から要求元のクライアント端末３に送信する。要求元のクライアント端末３では、第３制御部３０が、第３通信部３１が受信した画面データに基づいて、表示部３３に画面Ｇ１を表示する。
【００６６】
ここで、画面Ｇ１の表示内容について図４を参照して説明する。尚、図５〜図７に示す画面Ｇ２〜Ｇ４のレイアウトは、画面Ｇ１のレイアウトと同様であるので、図５〜図７に示す画面Ｇ２〜Ｇ４において図４に示す画面Ｇ１と共通する表示欄には同一の符号を付して、その説明は省略する。また、図４〜図７に示す画面Ｇ１〜Ｇ４の説明図において、表示欄などを示す一点鎖線及び符号は説明のために図示したものであり、実際には表示されない。
【００６７】
画面Ｇ１の上部には、表示システム１の表示対象であるプロジェクトに設定された５つのベースラインＢＬ０〜ＢＬ４を一覧表示する表示欄Ａ１が設けられている。
【００６８】
表示欄Ａ１の上部には、表示欄Ａ１に表示される項目を説明する説明欄Ａ１１が設けられている。説明欄Ａ１１には、「ベースライン」「計画日」「実施日」「保管場所」「構成制御委員」「ベースライン監査担当者」「構成管理責任者」「監査・承認状況」「特記事項」などの項目名が表示されている。表示欄Ａ１において、説明欄Ａ１１の下側には、ベースラインＢＬ０〜ＢＬ４について各項目に関する情報が記載されている。ここで、クライアント端末３のユーザは、表示欄Ａ１に表示されているベースラインＢＬ０〜ＢＬ４の中から所望のベースラインを選択する操作が可能である。クライアント端末３のユーザが所望のベースラインを選択する操作を行うと、選択されたベースラインでのファイルの作成状況が表示欄Ａ２に表示される。
【００６９】
また、画面Ｇ１には、表示欄Ａ１の下側に、表示対象のプロジェクトに含まれる複数のプロセスにおいて成果物であるファイルの作成状況を一覧表示するための表示欄Ａ２が設けられている。
【００７０】
表示欄Ａ２の上部には、表示欄Ａ２に表示されるファイルの範囲を表示する表示欄Ａ２１が設けられている。表示欄Ａ２において表示欄Ａ２１の下側には、表示欄Ａ２に表示される項目を説明する説明欄Ａ２２が設けられている。説明欄Ａ２２には、「プロセス」「ドキュメント」「バージョン」「リビジョン」「コミット日」「最終更新者」などの項目名が表示されている。表示欄Ａ２において、説明欄Ａ２２の下側には、対象プロセス群（図４では全てのプロセス群）について各項目に関する情報が表示される。本実施形態では、ファイル管理システム２が、複数のプロセスの各々で作成されるファイルのバージョン情報を管理しており、表示処理において対象ファイルのバージョン情報を識別可能な態様で表示部３３に表示している。つまり、表示処理部１０２は、対象ファイルのファイル名と、対象ファイルのバージョン情報とを左右に並べて状態で表示部３３に表示させている。
【００７１】
ここで、表示処理部１０２は、画面Ｇ１を表示するタイミングで、各プロセスで計画されているファイルが作成されていない場合、作成されていないファイルの名称を特定可能な状態で表示部３３に表示させている。例えば、表示処理部１０２は、画面Ｇ１を作成するタイミングで、作成されていないファイルの名称の先頭に、「（未登録！）」との文言を付加して表示部３３に表示する。例えばプロセス３１で作成される予定のファイル（△△設計書.doc）は、画面Ｇ１を表示するタイミングでは未作成のため、「（未登録！）設計書.doc」と表示される。このように、表示処理部１０２は、対象ファイルが作成されている場合と対象ファイルが作成されていない場合との少なくとも一方について、対象ファイルの名称を特定可能な態様で表示部３３に表示させている。したがって、クライアント端末３のユーザは、作成されている対象ファイルと作成されていない対象ファイルとを容易に区別することできる。
【００７２】
なお、本実施形態において、対象ファイルの名称を特定可能な態様とは、対象ファイルの名称に、作成されていないことを示す文言又は記号を追加した状態で表示することを言うが、対象ファイルの名称に、作成されていることを示す文言又は記号を追加した状態で表示してもよい。また、対象ファイルの名称を特定可能な態様とは、対象ファイルが作成されている場合と作成されていない場合とで、対象ファイルの名称を表示する場合の表示色又は字体を変化させるような表示態様でもよい。このように、表示処理において、対象ファイルが作成されている場合と対象ファイルが作成されていない場合との少なくとも一方について、対象ファイルの名称を特定可能な態様で表示部３３に表示させることで、未作成のファイルの名称を目立たせることができる。
【００７３】
ここで、クライアント端末３のユーザが、操作部３４を操作して表示欄Ａ１に表示されたベースラインＢＬ０〜ＢＬ４のいずれかを選択する操作を行うと、選択されたベースラインでのファイルの作成状況を示す画面が表示部３３に表示される。
【００７４】
図４の例では、ベースラインＢＬ０〜ＢＬ２で監査が行われ、ベースラインＢＬ０〜ＢＬ２でファイルの作成状況を検索した結果が表示システム１の第１記憶部１２に記憶されているものとする。尚、図４の例では、ベースラインＢＬ３〜ＢＬ４については監査が行われていない。
【００７５】
クライアント端末３のユーザが、操作部３４を操作して表示欄Ａ１に表示されたベースラインＢＬ０を選択する操作を行うと、第３制御部３０が、ベースラインＢＬ０を選択する選択情報を第３通信部３１から表示システム１に送信する。
【００７６】
表示システム１の受付処理部１０４が、クライアント端末３から送信された選択情報を第１通信部１１を介して受け付けると、選択処理部１０５は、複数のプロセス群から選択情報に基づいて対象プロセス群を選択する選択処理を行う。つまり、本実施形態の表示システム１では、一覧表示処理部１０３が、対象プロセス群の複数の選択肢（ベースライン）を表示部３３に一覧表示する。そして、受付処理部１０４が、複数の選択肢のいずれかを選択する選択情報を受け付けると、選択処理部１０５が、複数のプロセス群から選択情報に基づいて対象プロセス群を選択している。
【００７７】
例えばベースラインＢＬ０が選択された場合、ベースラインＢＬ０に対応するプロセス群は初期プロセス群のみであるから、初期プロセス群が指定されたプロセス群となり、初期プロセス群が対象プロセス群となる。表示処理部１０２は、選択されたベースラインＢＬ０でのファイル（対象プロセス群に対応したファイル）の作成状況を第１記憶部１２から読み出し、ベースラインＢＬ０でのファイルの作成状況を示す画面Ｇ２（図５参照）を表示部３３に表示させる。
【００７８】
同様に、クライアント端末３のユーザが、操作部３４を操作して表示欄Ａ１に表示されたベースラインＢＬ１を選択する操作を行うと、ベースラインＢＬ１を選択する選択情報が表示システム１に送信される。ベースラインＢＬ１が選択された場合、ベースラインＢＬ１に対応するプロセス群は初期プロセス群と第１プロセス群である。この場合、後工程の第１プロセス群が指定されたプロセス群となり、初期プロセス群と第１プロセス群が対象プロセス群となる。表示処理部１０２は、選択されたベースラインＢＬ１でのファイル（対象プロセス群に対応したファイル）の作成状況を第１記憶部１２から読み出し、ベースラインＢＬ１でのファイルの作成状況を示す画面Ｇ３（図６参照）を表示部３３に表示させる。
【００７９】
また、クライアント端末３のユーザが、操作部３４を操作して表示欄Ａ１に表示されたベースラインＢＬ２を選択する操作を行うと、ベースラインＢＬ２を選択する選択情報が表示システム１に送信される。ベースラインＢＬ２が選択された場合、ベースラインＢＬ２に対応するプロセス群は初期プロセス群と第１、第２プロセス群である。この場合、後工程の第２プロセス群が指定されたプロセス群となり、初期プロセス群から第２プロセス群までのプロセス群が対象プロセス群となる。表示処理部１０２は、選択されたベースラインＢＬ２でのファイル（対象プロセス群に対応したファイル）の作成状況を第１記憶部１２から読み出し、ベースラインＢＬ２でのファイルの作成状況を示す画面Ｇ４（図７参照）を表示部３３に表示させる。
【００８０】
尚、表示欄Ａ１において、この時点で実施されていないベースラインＢＬ３，ＢＬ４が選択された場合、表示処理部１０２は、表示欄Ａ２の表示を空欄とするような表示画面を表示部３３に表示させる。
【００８１】
以上のように、本実施形態の表示システム１は、ベースラインＢＬ０〜ＢＬ４でのファイルの作成状況を示す表示画面を表示部３３に表示させている。ここで、表示処理部１０２が対象プロセス群についてファイルの作成状況を表示する場合に、指定されたプロセス群の１つ前の段階のプロセス群である前段プロセス群が存在する場合、比較処理部１０６は第１バージョン情報と第２バージョン情報とを比較する。第１バージョン情報は、プロジェクトの最初のプロセス群から指定されたプロセス群までのプロセス群を対象プロセス群とする場合の表示処理で表示される対象ファイルのバージョン情報である。第２バージョン情報は、プロジェクトの最初のプロセス群から前段プロセス群までのプロセス群を対象プロセス群とする場合の表示処理で表示される対象ファイルのバージョン情報である。そして、比較処理部１０６の比較処理の結果、対象ファイルのバージョン情報が変化していた場合、表示処理部１０２は、表示処理において、バージョン情報が変化した対象ファイルの表示態様を変化させる。例えば、図６に示すように、ベースラインＢＬ１でファイルの作成状況を表示する場合に、ファイルのバージョン情報が、ベースラインＢＬ０でのファイルのバージョン情報から変化していれば、ファイルの名称などを表示する文字に網掛けをした状態で表示する。図６の例では、プロセス００で作成される「目標設定書Ａ」とプロセス０１で作成される「△△計画書」のバージョン情報がそれぞれ変化しているので、これらのファイルの名称などを表示する文字に網掛けをして表示している。また、図７に示すように、ベースラインＢＬ２でファイルの作成状況を表示する場合に、ファイルのバージョン情報が、ベースラインＢＬ１でのファイルのバージョン情報から変化していれば、ファイルの名称などを表示する文字に網掛けをした状態で表示する。図７の例では、プロセス１３で作成される「○○仕様書」のバージョン情報が変化しているので、このファイルの名称などを表示する文字に網掛けをして表示している。これにより、バージョン情報が変化したファイルを目立たせることができる。尚、本実施形態では網掛けをした状態で表示することで表示態様を変化させているが、文字の色、大きさ、書体などをすることで表示態様を変化させてもよい。
【００８２】
尚、本実施形態では、ファイルの作成状況を表示する表示欄Ａ２には、監査を受ける対象のファイル（つまり成果物としてのファイル）のみが表示されているが、成果物以外のファイルを表示してもよい。この場合、表示欄Ａ２に表示されるファイルが成果物であるか否かを示す記号を表示する列を表示欄Ａ２に設けてもよい。
【００８３】
（４）変形例
上記実施形態は、本開示の様々な実施形態の一つに過ぎない。上記実施形態は、本開示の目的を達成できれば、設計等に応じて種々の変更が可能である。また、表示システム１と同様の機能は、表示方法、コンピュータプログラム、又はプログラムを記録した非一時的な記録媒体等で具現化されてもよい。
【００８４】
一態様に係る表示方法は、成果物としてファイルがそれぞれ作成される複数のプロセスを含み、複数のプロセスの各々が複数のプロセス群のうち一のプロセス群に対応するようなプロジェクトでのファイルの作成状況を表示する表示方法である。一態様に係る表示方法は検索処理と表示処理とを含む。検索処理では、複数のプロセスの各々で作成されるファイルを管理するファイル管理システムで、対象ファイルを検索する。対象ファイルは、複数のプロセス群のうち指定されたプロセス群を少なくとも含む対象プロセス群において作成予定の１以上のファイルである。表示処理では、検索処理の検索結果に基づいて対象ファイルが作成されているか否かを表示部に表示させる。
【００８５】
また、別の態様に係る表示方法は表示処理を含む。表示処理では、対象プロセス群において作成予定の１以上のファイルが作成されているか否かを表示部（３３）に一覧表示させる。対象プロセス群は、複数のプロセス群のうちプロジェクトの最初のプロセス群から指定されたプロセス群までの１以上のプロセス群を含む。
【００８６】
一態様に係る（コンピュータ）プログラムは、コンピュータシステムに、上記の表示方法を実行させるためのプログラムである。
【００８７】
以下、上記の実施形態の変形例を列挙する。以下に説明する変形例は、適宜組み合わせて適用可能である。
【００８８】
本開示における表示システム１、ファイル管理システム２、又はクライアント端末３の実行主体は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における表示システム１又は表示方法の実行主体としての機能が実現される。プログラムは、コンピュータシステムのメモリに予め記録されていてもよいが、電気通信回線を通じて提供されてもよいし、コンピュータシステムで読み取り可能な非一時的な記録媒体に記録されて提供されてもよい。コンピュータシステムで読み取り可能な非一時的な記録媒体は、メモリカード、光学ディスク、ハードディスクドライブ等である。コンピュータシステムのプロセッサは、半導体集積回路（ＩＣ）又は大規模集積回路（ＬＳＩ）を含む１又は複数の電子回路で構成される。ここでは、ＩＣ又はＬＳＩと呼んでいるが、集積の度合いによって呼び方が変わり、システムＬＳＩ、ＶＬＳＩ（very Large Scale Integration）、又はＵＬＳＩ（Ultra Large Scale Integration）と呼ばれるものでもよい。ＬＳＩの製造後にプログラムされる、フィールド・プログラマブル・ゲート・アレイ（ＦＰＧＡ）、又はＬＳＩ内部の接合関係の再構成又はＬＳＩ内部の回路区画のセットアップができる再構成可能な論理デバイスも同じ使い方が可能である。複数の電子回路は、１つのチップに集約されていてもよいし、複数のチップに分散して設けられていてもよい。複数のチップは、１つの装置に集約されていてもよいし、複数の装置に分散して設けられていてもよい。
【００８９】
また、上記の実施形態では、表示システム１及びファイル管理システム２は、１つの筐体に収まる１つの装置にて実現されているが、２以上のシステムで実現されていてもよい。表示システム１の少なくとも１つの機能が２つ以上のシステムに分散して設けられてもよいし、ファイル管理システム２の少なくとも１つの機能が２つ以上のシステムに分散して設けられてもよい。また、表示システム１の少なくとも一部の機能は、例えば、クラウド（クラウドコンピューティング）によって実現されてもよい。
【００９０】
上記の実施形態では、表示システム１がソフトウェアの開発プロジェクトにおいて、各プロセスで計画されているファイルの作成状況を表示しているが、対象のプロジェクトは適宜変更が可能である。また、プロジェクト群の数及び名称、各プロジェクト群に含まれるプロセスの数及び名称、また各プロセスで作成される成果物のファイルの名称などは対象のプロジェクトに応じて適宜変更が可能である。
【００９１】
上記の実施形態において、表示システム１がファイルの作成状況を表示するプロジェクトは１つに限定されない。表示システム１は、同時並行で実施される複数のプロジェクトの各々について、ファイルの作成状況を示す表示画面を表示するように構成されてもよい。
【００９２】
（まとめ）
以上説明したように、第１の態様に係る表示方法は、成果物としてファイルがそれぞれ作成される複数のプロセスを含み、複数のプロセスの各々が複数のプロセス群のうち一のプロセス群に対応するようなプロジェクトでのファイルの作成状況を表示する表示方法である。第１の態様に係る表示方法は検索処理と表示処理とを含む。検索処理では、複数のプロセスの各々で作成されるファイルを管理するファイル管理システム（２）で、対象ファイルを検索する。対象ファイルは、複数のプロセス群のうち指定されたプロセス群を少なくとも含む対象プロセス群において作成予定の１以上のファイルである。表示処理では、検索処理の検索結果に基づいて対象ファイルが作成されているか否かを表示部（３３）に表示させる。
【００９３】
この態様によれば、対象プロセス群において作成予定の対象ファイルが作成されているか否かが表示部（３３）に表示されるので、プロセス群で作成されるファイルの作成状況を出力可能な表示方法を提供できる。
【００９４】
第２の態様に係る表示方法では、第１の態様において、対象プロセス群は、複数のプロセス群のうち、プロジェクトの最初のプロセス群から指定されたプロセス群までの１以上のプロセス群を含む。
【００９５】
この態様によれば、プロジェクトの最初のプロセス群から指定されたプロセス群までの１以上のプロセス群で作成されるファイルの作成状況を出力可能である。
【００９６】
第３の態様に係る表示方法では、第１又は２の態様において、表示処理において、対象ファイルが作成されている場合と対象ファイルが作成されていない場合との少なくとも一方について、対象ファイルの名称を特定可能な態様で表示部（３３）に表示させる。
【００９７】
この態様によれば、作成されていない対象ファイルの名称を特定するのが容易になる。
【００９８】
第４の態様に係る表示方法では、第１〜３のいずれかの態様において、対象ファイルが複数のファイルを含む場合、検索処理において、ファイル管理システム（２）で対象ファイルに含まれる複数のファイルを１つずつ順番に検索する。
【００９９】
この態様によれば、複数のファイルの各々について作成状況を出力可能になる。
【０１００】
第５の態様に係る表示方法では、第１〜３のいずれかの態様において、対象ファイルが複数のファイルを含む場合、検索処理において、ファイル管理システム（２）で対象ファイルに含まれる複数のファイルを一括して検索する。
【０１０１】
この態様によれば、複数のファイルの各々について作成状況を出力可能になり、また検索処理を一度に行うことができる。
【０１０２】
第６の態様に係る表示方法は、第１〜５のいずれかの態様において、一覧表示処理と、受付処理と、選択処理と、を更に含む。一覧表示処理では、対象プロセス群の複数の選択肢を表示部（３３）に一覧表示する。受付処理では、複数の選択肢のいずれかを選択する選択情報を受け付ける。選択処理では、複数のプロセス群から選択情報に基づいて対象プロセス群を選択する。
【０１０３】
この態様によれば、表示部（３３）に一覧表示された複数の選択肢から対象プロセス群を選択することが可能になる。
【０１０４】
第７の態様に係る表示方法では、第１〜６のいずれかの態様において、ファイル管理システム（２）は、複数のプロセスの各々で作成されるファイルのバージョン情報を管理する。表示処理において、対象ファイルのバージョン情報を識別可能な態様で表示部（３３）に表示させる。
【０１０５】
この態様によれば、作成されている対象ファイルについては、そのバージョン情報も表示部に表示することができる。
【０１０６】
第８の態様に係る表示方法は、第７の態様において、比較処理を、更に含む。比較処理では、指定されたプロセス群の１つ前の段階のプロセス群である前段プロセス群が存在する場合に、第１の対象ファイルのバージョン情報と、第２の対象ファイルのバージョン情報とを比較する。第１の対象ファイルは、プロジェクトの最初のプロセス群から指定されたプロセス群までのプロセス群を対象プロセス群とする場合の表示処理で表示されるファイルである。第２の対象ファイルは、プロジェクトの最初のプロセス群から前段プロセス群までのプロセス群を対象プロセス群とする場合の表示処理で表示されるファイルである。比較処理の結果、対象ファイルのバージョン情報が変化していた場合、表示処理において、バージョン情報が変化した対象ファイルの表示態様を変化させる。
【０１０７】
この態様によれば、バージョン情報が変化した対象ファイルの表示態様を変化させることで、バージョン情報が変化した対象ファイルを目立たせることができる。
【０１０８】
第９の態様に係る表示方法は、成果物としてファイルがそれぞれ作成される複数のプロセスを含み、複数のプロセスの各々が複数のプロセス群のうち一のプロセス群に対応するようなプロジェクトでの、ファイルの作成状況を表示する表示方法である。第８の態様に係る表示方法は表示処理を含む。表示処理では、対象プロセス群において作成予定の１以上のファイルが作成されているか否かを表示部（３３）に一覧表示させる。対象プロセス群は、複数のプロセス群のうちプロジェクトの最初のプロセス群から指定されたプロセス群までの１以上のプロセス群を含む。
【０１０９】
この態様によれば、対象プロセス群において作成予定の１以上のファイルが作成されているか否かを表示部（３３）に一覧表示させるので、プロセス群で作成されるファイルの作成状況を出力可能な表示方法を提供できる。
【０１１０】
第１０の態様に係る表示システム（１）は、成果物としてファイルがそれぞれ作成される複数のプロセスを含み、複数のプロセスの各々が複数のプロセス群のうち一のプロセス群に対応するようなプロジェクトでの、ファイルの作成状況を表示する。表示システムは、検索処理部（１０１）と表示処理部（１０２）とを含む。検索処理部（１０１）は、複数のプロセスの各々で作成されるファイルを管理するファイル管理システム（２）で、対象ファイルを検索する。対象ファイルは、複数のプロセス群のうち指定されたプロセス群を少なくとも含む対象プロセス群において作成予定の１以上のファイルである。表示処理部（１０２）は、検索処理部（１０１）の検索結果に基づいて対象ファイルが作成されているか否かを表示部（３３）に表示させる。
【０１１１】
この態様によれば、対象プロセス群において作成予定の対象ファイルが作成されているか否かが表示部（３３）に表示されるので、プロセス群で作成されるファイルの作成状況を出力可能な表示システム（１）を提供できる。
【０１１２】
第１１の態様に係る表示システム（１）は、成果物としてファイルがそれぞれ作成される複数のプロセスを含み、複数のプロセスの各々が複数のプロセス群のうち一のプロセス群に対応するようなプロジェクトでの、ファイルの作成状況を表示する。表示システムは表示処理部（１０２）を含む。表示処理部（１０２）は、対象プロセス群において作成予定の１以上のファイルが作成されているか否かを表示部（３３）に一覧表示させる。対象プロセス群は、複数のプロセス群のうちプロジェクトの最初のプロセス群から指定されたプロセス群までの１以上のプロセス群を含む。
【０１１３】
この態様によれば、対象プロセス群において作成予定の１以上のファイルが作成されているか否かを表示部（３３）に一覧表示させるので、プロセス群で作成されるファイルの作成状況を出力可能な表示システム（１）を提供できる。
【０１１４】
第１２の態様に係るプログラムは、第１〜９のいずれかの態様の表示方法をコンピュータシステムに実行させるためのプログラムである。
【０１１５】
この態様によれば、プロセス群で作成されるファイルの作成状況を出力可能なプログラムを提供できる。
【０１１６】
上記態様に限らず、上記の実施形態に係る表示システム（１）の種々の構成（変形例を含む）は、表示方法、（コンピュータ）プログラム、又はプログラムを記録した非一時的記録媒体等で具現化可能である。
【０１１７】
第２〜第９の態様に係る構成については、表示方法に必須の構成ではなく、適宜省略可能である。
【符号の説明】
【０１１８】
１  表示システム
２  ファイル管理システム
３３  表示部
１０１  検索処理部
１０２  表示処理部
１０６  比較処理部
【図１】
2020004128.tif 000004
【図２】
2020004128.tif 000005
【図３】
2020004128.tif 000006
【図４】
2020004128.tif 000007
【図５】
2020004128.tif 000008
【図６】
2020004128.tif 000009
【図７】
2020004128.tif 000010